(57)【要約】【課題】運動サイクルの１周期と回数とを決めて行うインターバル運動に適したパフォーマンス情報通知装置、パフォーマンス情報通知方法、およびパフォーマンス情報通知プログラムを提供する。【解決手段】本適用例に係るパフォーマンス情報通知装置は、インターバル運動における負荷運動および休憩の少なくとも一方を示す情報を取得する取得部と、前記負荷運動および休憩の少なくとも一方を示す情報に基づいて、前記負荷運動が行なわれた時間および前記休憩が行なわれた時間の少なくとも一方に関するパフォーマンス情報を通知する通知部と、を含む。【選択図】図３
2017176207.tif 000002
【特許請求の範囲】
【請求項１】
インターバル運動における負荷運動および休憩の少なくとも一方を示す情報を取得する取得部と、
前記負荷運動および休憩の少なくとも一方を示す情報に基づいて、前記負荷運動が行なわれた時間および前記休憩が行なわれた時間の少なくとも一方に関するパフォーマンス情報を通知する通知部と、
を含む、
パフォーマンス情報通知装置。
【請求項２】
前記パフォーマンス情報は、前記インターバル運動において前記負荷運動が行なわれた時間の積算値、および、前記インターバル運動において前記休憩が行なわれた時間の積算値の少なくとも一方を含む、
請求項１に記載のパフォーマンス情報通知装置。
【請求項３】
前記パフォーマンス情報は、前記インターバル運動が行なわれた時間に対する前記負荷運動が行なわれた時間の積算値の比率、および、前記インターバル運動が行なわれた時間に対する前記休憩が行なわれた時間の積算値の比率の少なくとも一方を含む、
請求項１または２に記載のパフォーマンス情報通知装置。
【請求項４】
前記インターバル運動は、１回の前記負荷運動と１回の前記休憩とからなる少なくとも１回の運動サイクルを含み、
前記パフォーマンス情報は、前記１回の運動サイクルにおいて前記負荷運動が行なわれた時間および前記１回の運動サイクルにおいて前記休憩が行なわれた時間の少なくとも一方を含む、
請求項１から３のいずれか一項に記載のパフォーマンス情報通知装置。
【請求項５】
前記インターバル運動は、１回の前記負荷運動と１回の前記休憩とからなる少なくとも１回の運動サイクルを含み、
前記パフォーマンス情報は、前記１回の運動サイクルが行なわれた時間に対する前記負荷運動が行われた時間の比率、および、前記１回の運動サイクルが行なわれた時間に対する前記休憩が行われた時間の比率、の少なくとも一方を含む、
請求項１から４のいずれか一項に記載のパフォーマンス情報通知装置。
【請求項６】
前記取得部は、人の動きを検出するセンサーを含む、
請求項２から５のいずれか一項に記載のパフォーマンス情報通知装置。
【請求項７】
経過時間を計測する計時部をさらに含み、
前記通知部は、前記経過時間と前記負荷運動および休憩の少なくとも一方を示す情報とに基づいて生成された前記パフォーマンス情報を通知する、
請求項６に記載のパフォーマンス情報通知装置。
【請求項８】
前記取得部は、情報の送受信を行う通信部を含み、
前記通信部を介して、前記負荷運動および休憩の少なくとも一方を示す情報を取得する、
請求項１から５のいずれか一項に記載のパフォーマンス情報通知装置。
【請求項９】
インターバル運動における負荷運動および休憩の少なくとも一方を示す情報を取得することと、
前記負荷運動および休憩の少なくとも一方を示す情報に基づいて、前記負荷運動が行なわれた時間および前記休憩が行なわれた時間の少なくとも一方に関するパフォーマンス情報を通知することと、を含む、
パフォーマンス情報通知方法。
【請求項１０】
コンピューターが読み取り可能なプログラムであって、
インターバル運動における負荷運動および休憩の少なくとも一方を示す情報を取得することと、
前記負荷運動および休憩の少なくとも一方を示す情報に基づいて、前記負荷運動が行なわれた時間および前記休憩が行なわれた時間の少なくとも一方に関するパフォーマンス情報を通知することと、
をコンピューターに実行させる、
パフォーマンス情報通知プログラム。
【発明の詳細な説明】
【技術分野】
【０００１】
本発明は、パフォーマンス情報通知装置、パフォーマンス情報通知方法、およびパフォーマンス情報通知プログラムに関する。
【背景技術】
【０００２】
一般的に、スポーツ選手は、取り組んでいるスポーツにおいて自己の記録、成績をより向上させたいと願い、そのために、様々なトレーニング方法を取り入れて、心肺機能を高め身体能力を向上させる努力を行う。そのトレーニング方法として大きな効果があると考えられているのが、インターバル運動（インターバルトレーニングとも言われる）である。インターバル運動とは、高負荷運動と低負荷運動あるいは休憩とを交互に所定回数繰り返すトレーニング方法である。インターバル運動によれば、スポーツ選手のみならず、趣味でスポーツに親しんでいる一般の人も、自己のレベルに合ったインターバル運動を行うことによって身体能力を向上させることができる。なお、以下、本明細書中では、スポーツ選手およびスポーツに親しんでいる一般の人を含めてアスリートと称する。
【０００３】
一般的なインターバル運動において、アスリートは、高負荷運動および低負荷運動のそれぞれの時間あるいは運動距離とその繰り返し回数などを決めることで運動強度を管理しトレーニングを行う。そのために、インターバル運動において高負荷運動時間および低負荷運動時間の一方あるいは両方を算出する電子機器が提案されている（例えば、特許文献１参照）。
【先行技術文献】
【特許文献】
【０００４】
【特許文献１】ＷＯ２０１５／０１５５６４号公報
【発明の概要】
【発明が解決しようとする課題】
【０００５】
ところで、水泳などでは、１回の高負荷運動と１回の低負荷運動あるいは休憩とを合わせて１回の運動サイクルとし、１回の運動サイクルの時間（１周期）を決めて複数の運動サイクルを繰り返すインターバル運動が行われる。例えば、所定の１周期の中で所定の距離を泳ぎ（つまり、高負荷運動を行い）、次の１周期が始まるまで休憩するといったトレーニング方法である。
【０００６】
このように運動サイクルの１周期と回数とを決めてインターバル運動を行う場合、運動サイクルの１周期が始まるタイミング、１周期の中でどの程度高負荷運動と低負荷運動とが行われたのか、または運動サイクルの回数などのトレーニングに係る情報をアスリートが知ることが重要である。ところが、このような方法のインターバル運動については、トレーニングに係る情報を容易に確認できたり、トレーニング時間およびトレーニング結果などを管理しやすい装置が十分に提案されていない。
【０００７】
本発明は、以上のような課題に鑑みて、運動サイクルの１周期と回数とを決めて行うインターバル運動に適したパフォーマンス情報通知装置、パフォーマンス情報通知方法、およびパフォーマンス情報通知プログラムを提供することを目的とする。
【課題を解決するための手段】
【０００８】
本発明は、上述の課題の少なくとも一部を解決するためになされたものであり、以下の形態または適用例として実現することが可能である。
【０００９】
（適用例１）
本適用例に係るパフォーマンス情報通知装置は、インターバル運動における負荷運動および休憩の少なくとも一方を示す情報を取得する取得部と、前記負荷運動および休憩の少なくとも一方を示す情報に基づいて、前記負荷運動が行なわれた時間および前記休憩が行なわれた時間の少なくとも一方に関するパフォーマンス情報を通知する通知部と、を含む。
【００１０】
本適用例によれば、パフォーマンス情報通知装置が、インターバル運動における負荷運動および休憩の少なくとも一方を示す情報を取得し、インターバル運動において負荷運動が行なわれた時間あるいは休憩が行なわれた時間に関するパフォーマンス情報を通知する。そのため、アスリートはインターバル運動において負荷運動を行った時間、または、休憩を行った時間についてパフォーマンス情報通知装置からの通知によって知ることができる。
【００１１】
（適用例２）
上記適用例において、前記パフォーマンス情報は、前記インターバル運動において前記負荷運動が行なわれた時間の積算値、および、前記インターバル運動において前記休憩が行なわれた時間の積算値の少なくとも一方を含むことが望ましい。
【００１２】
本適用例によれば、アスリートに、パフォーマンス情報として、インターバル運動において負荷運動が行なわれた時間の積算値、または、インターバル運動において休憩が行なわれた時間の積算値を通知することができる。
【００１３】
（適用例３）
上記適用例において、前記パフォーマンス情報は、前記インターバル運動が行なわれた時間に対する前記負荷運動が行なわれた時間の積算値の比率、および、前記インターバル運動が行なわれた時間に対する前記休憩が行なわれた時間の積算値の比率の少なくとも一方を含むことが望ましい。
【００１４】
本適用例によれば、アスリートに、パフォーマンス情報として、１回のインターバル運動を行った時間に対して、運動積算時間の比率、または、休憩積算時間の比率を通知することができる。
【００１５】
（適用例４）
上記適用例において、前記インターバル運動は、１回の前記負荷運動と１回の前記休憩とからなる少なくとも１回の運動サイクルを含み、前記パフォーマンス情報は、前記１回の運動サイクルにおいて前記負荷運動が行なわれた時間および前記１回の運動サイクルにおいて前記休憩が行なわれた時間の少なくとも一方を含むことが望ましい。
【００１６】
本適用例によれば、アスリートに、パフォーマンス情報として、インターバル運動の中の１回の運動サイクルにおいて負荷運動が行なわれた時間、または、休憩が行なわれた時間を通知することができる。
【００１７】
（適用例５）
上記適用例において、前記インターバル運動は、１回の前記負荷運動と１回の前記休憩とからなる少なくとも１回の運動サイクルを含み、前記パフォーマンス情報は、前記１回の運動サイクルが行なわれた時間に対する前記負荷運動が行われた時間の比率、および、前記１回の運動サイクルが行なわれた時間に対する前記休憩が行われた時間の比率、の少なくとも一方を含むことが望ましい。
【００１８】
本適用例によれば、アスリートに、パフォーマンス情報として、１回の運動サイクルを行った時間に対して、負荷運動が行なわれた時間の比率、または、休憩が行なわれた時間の比率を通知することができる。
【００１９】
（適用例６）
上記適用例において、前記取得部は、人の動きを検出するセンサーを含むことが望ましい。
【００２０】
本適用例によれば、パフォーマンス情報通知装置の取得部は人の動きを検出するセンサーを含む。そのため、例えばパフォーマンス情報通知装置をアスリートに装着した場合に、取得部によって、そのアスリートの負荷運動および休憩の少なくとも一方を示す情報を取得することができる。
【００２１】
（適用例７）
上記適用例において、経過時間を計測する計時部をさらに含み、前記通知部は、前記経過時間と前記負荷運動および休憩の少なくとも一方を示す情報とに基づいて生成された前記パフォーマンス情報を通知することが望ましい。
【００２２】
本適用例によれば、パフォーマンス情報通知装置は、経過時間と、負荷運動または休憩を示す情報とに基づいて生成したパフォーマンス情報を通知することができる。
【００２３】
（適用例８）
上記適用例において、前記取得部は、情報の送受信を行う通信部を含み、前記通信部を介して、前記負荷運動および休憩の少なくとも一方を示す情報を取得することが望ましい。
【００２４】
本適用例によれば、取得部は、情報の送受信を行う通信部を含む。そのため、パフォーマンス情報通知装置は、通信部を介して、負荷運動および休憩の少なくとも一方を示す情報を取得することができる。
【００２５】
（適用例９）
本適用例に係るパフォーマンス情報通知方法は、インターバル運動における負荷運動および休憩の少なくとも一方を示す情報を取得することと、前記負荷運動および休憩の少なくとも一方を示す情報に基づいて、前記負荷運動が行なわれた時間および前記休憩が行なわれた時間の少なくとも一方に関するパフォーマンス情報を通知することと、を含む。
【００２６】
本適用例によれば、アスリートがインターバル運動によってトレーニングを行っている最中の情報が取得される。そのため、アスリートは、パフォーマンス情報通知装置からの通知によってトレーニングに係るパフォーマンス情報を知ることができる。
【００２７】
（適用例１０）
本適用例に係るパフォーマンス情報通知プログラムは、コンピューターが読み取り可能なプログラムであって、インターバル運動における負荷運動および休憩の少なくとも一方を示す情報を取得することと、前記負荷運動および休憩の少なくとも一方を示す情報に基づいて、前記負荷運動が行なわれた時間および前記休憩が行なわれた時間の少なくとも一方に関するパフォーマンス情報を通知することと、をコンピューターに実行させる。
【００２８】
本適用例によれば、アスリートがインターバル運動によってトレーニングを行っている最中の情報が取得される。そのため、アスリートは、パフォーマンス情報通知装置からの通知によってトレーニングに係るパフォーマンス情報を知ることができる。
【図面の簡単な説明】
【００２９】
【図１】本発明に係るパフォーマンス情報通知システムの使用形態を示す概念図。
【図２】パフォーマンス情報通知システムにおけるパフォーマンス情報通知装置の一例を示す外観図。
【図３】パフォーマンス情報通知システムの構成図。
【図４】加速度センサー出力の一例を示す図。
【図５】パフォーマンス情報通知装置の制御方法の一例を示すフローチャート。
【図６】パフォーマンス情報通知装置の表示例を示す図。
【図７Ａ】パフォーマンス情報通知装置の他の表示例を示す図。
【図７Ｂ】パフォーマンス情報通知装置の他の表示例を示す図。
【図８】パフォーマンス情報通知装置の他の表示例を示す図。
【図９】パフォーマンス情報通知装置の他の表示例を示す図。
【図１０】パフォーマンス情報通知装置の他の表示例を示す図。
【図１１Ａ】パフォーマンス情報通知装置の他の表示例を示す図。
【図１１Ｂ】パフォーマンス情報通知装置の他の表示例を示す図。
【図１２】パフォーマンス情報通知装置の他の表示例を示す図。
【図１３】パフォーマンス情報通知装置の他の表示例を示す図。
【発明を実施するための形態】
【００３０】
（実施形態）
以下、本発明に係るパフォーマンス情報通知装置の実施形態について図面を参照して説明する。本実施形態では、水泳のトレーニングにおいてインターバル運動を行う場合に使用されるパフォーマンス情報通知装置を例に挙げて説明する。
【００３１】
なお、以下の説明で参照する図面では、説明および図示の便宜上、部材ないし部分の縦横の縮尺を実際のものとは異なるように表す場合がある。また、説明に必要な構成要素以外は図示を省略する場合がある。
【００３２】
（パフォーマンス情報通知システムの全体構成）
図１は、本発明に係るパフォーマンス情報通知システム１の使用形態を示す概念図である。図１に示すように、パフォーマンス情報通知システム１は、例えば、情報機器１０（１０Ａまたは１０Ｂ）、電子表示板２０、および携帯型情報端末３０を含む。あるいは、情報機器１０（１０Ａまたは１０Ｂ）単体が、パフォーマンス情報通知システム１となり得る。情報機器１０（１０Ａまたは１０Ｂ）、電子表示板２０、および携帯型情報端末３０は、パフォーマンス情報通知システム１におけるパフォーマンス情報通知装置の一例である。
【００３３】
情報機器１０（１０Ａまたは１０Ｂ）は、インターバル運動における負荷運動および休憩の少なくとも一方を示す情報（以下、運動休憩情報と称する）を取得する電子機器である。
【００３４】
情報機器１０（１０Ａまたは１０Ｂ）は、さらに、パフォーマンス情報通知システム１における情報通知機能を備える。つまり、情報機器１０（１０Ａまたは１０Ｂ）は、取得する運動休憩情報に基づいて、負荷運動が行なわれた時間および休憩が行なわれた時間の少なくとも一方に関する情報（以下、パフォーマンス情報と称する）を生成し、パフォーマンス情報を表示、報音、または振動などによって外部に通知できる。したがって、情報機器１０（１０Ａまたは１０Ｂ）は、運動休憩情報を取得してパフォーマンス情報を外部に通知するパフォーマンス情報通知装置として機能可能である。
【００３５】
さらに、情報機器１０（１０Ａまたは１０Ｂ）は、外部機器と通信可能であり、取得された運動休憩情報または生成されたパフォーマンス情報などを外部機器に通知できる。図１の使用形態においては、情報機器１０Ａは、運動休憩情報またはパフォーマンス情報などを、外部機器としての情報機器１０Ｂ、電子表示板２０、または携帯型情報端末３０に送信して通知する。外部機器は、受信する情報に基づいてパフォーマンス情報を表示、報音、または振動などによって外部に通知する。
【００３６】
本実施形態では、情報機器１０（１０Ａまたは１０Ｂ）は、手首に巻きつけて装着されるリスト型の電子機器である。
【００３７】
図１の使用形態においては、情報機器１０Ａは、プール５の中でインターバル運動を行うアスリート２の手首に装着される。そのため、情報機器１０Ａは、アスリート２の運動休憩情報を取得し、当該運動休憩情報に基づいて生成されるパフォーマンス情報をアスリート２に知らせる（通知する）ことができる。つまり、情報機器１０Ａは、パフォーマンス情報通知装置として機能する。
【００３８】
一方、情報機器１０Ｂは、プールサイド６のコーチ３の手首に装着されて使用される。情報機器１０Ｂは、情報機器１０Ａから受信するアスリート２のパフォーマンス情報を、情報機器１０Ａと同じ形態でコーチ３に通知する。アスリート２のパフォーマンス情報を取得してコーチ３に通知する情報機器１０Ｂは、パフォーマンス情報通知装置の別の一例である。したがって、コーチ３は、アスリート２の見る表示と同じ表示を見ながらアスリート２を指導できる。さらに、図１には示していないが、上述したように情報機器１０Ｂは、外部機器と通信可能であるため、情報機器１０Ａに情報を送信することができる。そのため、コーチ３が、例えば、トレーニングに関する指示を情報機器１０Ｂから情報機器１０Ａに送信することによって、アスリート２はその指示を確認してトレーニングすることができる。
【００３９】
電子表示板２０は、主にパフォーマンス情報通知システム１における情報通知機能を果たす電子機器である。電子表示板２０は、情報機器１０（１０Ａまたは１０Ｂ）が備える表示画面１１（図２参照）よりも大きな表示画面２１を備え、情報機器１０Ａから受信する情報に基づいてパフォーマンス情報を表示画面２１に表示して外部に通知する。アスリート２のパフォーマンス情報を取得し表示画面２１に表示して外部に通知する電子表示板２０は、パフォーマンス情報通知装置の別の一例である。電子表示板２０がプールサイド６に設置されることによって、インターバル運動中のアスリート２やコーチ３のみならず、一緒にトレーニングを行っている他のアスリートや観客も、アスリート２のパフォーマンス情報を確認できる。
【００４０】
詳細は後述するが、電子表示板２０の表示画面２１には、さまざまな形態でパフォーマンス情報が表示される。図１の実施形態では、パフォーマンス情報として、１周期毎の負荷運動が行なわれた時間が表示される。表示画面２１には、円グラフ２２と棒グラフ２３とが表示され、円グラフ２２は、表示セグメント２４が徐々に点灯していくことで時間の経過を示す。円グラフ２２は、インターバル運動における１回の運動サイクルの時間（１周期）を表示セグメント２４のすべてが点灯するまでの時間で表し（図１では、９０秒）、負荷運動が行なわれた経過時間（図１では、６０秒）を表示セグメント２４の点灯位置で示す。
【００４１】
また、円グラフ２２の中央部２５には、運動サイクル回数に関する情報が表示される。図１は、８回の運動サイクルの内、５回が終了したことを示す。棒グラフ２３には、３本の棒グラフが表示される。１本毎の棒グラフによって、１回の運動サイクル毎に、負荷運動が行なわれた時間および休憩が行なわれた時間に関する情報（パフォーマンス情報）が示される。
【００４２】
携帯型情報端末３０は、スマートフォンやタブレットなどの携帯型の電子機器である。携帯型情報端末３０は、一般的に、リスト型の情報機器１０（１０Ａまたは１０Ｂ）よりも大きな表示画面３１と、高い情報処理能力を備える。そのため、リスト型の情報機器１０Ａから受信する運動休憩情報またはパフォーマンス情報などの確認が容易で、さらに運動休憩情報またはパフォーマンス情報などを、自らが備える様々なアプリケーションソフトウェアで加工し、管理または通知することが可能である。アスリート２のパフォーマンス情報を取得し自らが備える様々なアプリケーションソフトウェアで加工し管理または通知する携帯型情報端末３０は、パフォーマンス情報通知装置の別の一例である。その結果、例えば、コーチ３が携帯型情報端末３０を使って、アスリート２の現在のパフォーマンス情報を、過去のパフォーマンス情報と比較したり、他のアスリートのパフォーマンス情報と比較して通知できる。
【００４３】
（情報機器）
次に、情報機器１０（１０Ａまたは１０Ｂ）をより詳細に説明する。
図２は、パフォーマンス情報通知システム１におけるパフォーマンス情報通知装置としての情報機器１０（１０Ａまたは１０Ｂ）の一例を示す外観図であり、ここではリスト型の電子機器を例に挙げて説明する。情報機器１０（１０Ａまたは１０Ｂ）は、表示画面１１、ボタン１２、およびバンド１３を備える。
【００４４】
詳細は後述するが、表示画面１１には、さまざまな形態でパフォーマンス情報が表示される。図２の実施形態では、指針を備える円形のアナログ表示式タイマーと棒グラフとが表示される。
【００４５】
円形のアナログ表示式タイマーは、パフォーマンス情報として、運動サイクルの１周期において負荷運動が行なわれた時間が表示される。円形のアナログ表示式タイマーは、インターバル運動における運動サイクルの１周期を、指針が一周する時間として表示し（図２では、９０秒）、経過時間（図２では、５０秒）を指針の現在位置で示す。１周期は、操作部１６０（図３参照）のボタン１２などから設定が可能で、設定された１周期は円形のアナログ表示式タイマーの円内に均等に分配して表示される。そのため、指針が一周すると、設定された１周期が経過する表示となる。したがって、アスリート２は、負荷運動を終えた時に指針の位置を確認することで、負荷運動が行われた時間と次の運動サイクルがスタートするまでの休憩時間とを知ることができる。また、アスリート２は、指針が所定の位置（図２では、９０の表示位置）に到達することが一見して分かるため、次の運動サイクルに対するスタートが遅れないように注意することが容易である。
【００４６】
棒グラフは、１回のインターバル運動における負荷運動が行なわれた時間の積算値（運動積算時間）および休憩が行なわれた時間の積算値（休憩積算時間）を、パフォーマンス情報の１つとして棒グラフの長さで示す。そして、運動積算時間および休憩積算時間が、棒グラフの近傍に数値で表示される。また、１回のインターバル運動が行なわれた時間に対する運動積算時間の比率（第１の運動比率）と１回のインターバル運動が行なわれた時間に対する休憩積算時間の比率（第１の休憩比率）とが、パフォーマンス情報の他の１つとして棒グラフ上に百分率で表示される。図２の表示例では、運動積算時間が棒グラフの近傍に１．４Ｈ、第１の運動比率が棒グラフの上に７０％と表示され、休憩積算時間が棒グラフの近傍に０．６Ｈ、第１の休憩比率が棒グラフの上に３０％と表示される。
【００４７】
ボタン１２は、アスリート２やコーチ３など（以下、使用者と称する）が情報機器１０（１０Ａまたは１０Ｂ）を操作する時に使用される入力部材である。バンド１３は、情報機器１０（１０Ａまたは１０Ｂ）に取り付けられ、情報機器１０（１０Ａまたは１０Ｂ）を使用者の手首に装着するために使用される。
【００４８】
（パフォーマンス情報通知システムの構成）
次に、パフォーマンス情報通知システム１の構成およびパフォーマンス情報通知装置の機能構成について説明する。
図３は、パフォーマンス情報通知システム１の構成図である。さらに、図３は、パフォーマンス情報通知装置としての情報機器１０Ａおよび外部機器１０Ｂ，２０，３０（情報機器１０Ｂ、電子表示板２０、または携帯型情報端末３０）の機能構成を示す。
上述のように、パフォーマンス情報通知システム１は、情報機器１０（１０Ａまたは１０Ｂ）および電子表示板２０または携帯型情報端末３０を含む。さらに、図３に示すように、パフォーマンス情報通知システム１は、ネットワークＮＷで接続されたデータベース８０を含んでもよい。
【００４９】
（情報機器の機能構成）
アスリート２が装着する情報機器１０Ａと外部機器１０Ｂ，２０，３０としてコーチ３が携帯する情報機器１０Ｂとは同じ機能構成である。そのため、情報機器１０Ａを例に挙げて詳細を説明する。
【００５０】
図３に示すように、情報機器１０Ａは、処理部１００Ａ、計時部１１０Ａ、通知部１２０Ａ、通信部１３０Ａ、記憶部１４０Ａ、取得部１５０、および操作部１６０を含む。ただし、情報機器１０Ａの構成は、これらの構成要素の一部を削除又は変更し、あるいは他の構成要素を追加したものであってもよい。
【００５１】
処理部１００Ａは、例えば、ＣＰＵ（Central Processing Unit）、ＤＳＰ（Digital Signal Processor）、ＡＳＩＣ（Application Specific Integrated Circuit）などにより構成される。処理部１００Ａは、記憶部１４０Ａに格納されたプログラムと、操作部１６０を介して使用者が入力する各種のコマンドとに従って各種の処理を行う。処理部１００Ａによる処理には、例えば、計時部１１０Ａ、取得部１５０、および操作部１６０などが生成する情報に基づいてパフォーマンス情報を生成する処理がある。さらに、処理部１００Ａは、通知部１２０Ａにパフォーマンス情報を通知させる処理、通信部１３０Ａに外部と情報の送受信をさせる処理などを行う。
【００５２】
計時部１１０Ａは、例えば、リアルタイムクロック（ＲＴＣ：Real Time Clock）ＩＣなどにより構成され、年、月、日、時、分、秒等の時刻情報を生成して処理部１００Ａに送る。
【００５３】
通知部１２０Ａは、表示部１２１、報音部１２５、および振動部１２７を備える。通知部１２０Ａは、処理部１００Ａの指示に従ってパフォーマンス情報を通知する。
具体的には、表示部１２１は、ＬＣＤ（Liquid Crystal Display）、有機ＥＬ（Electroluminescence）ディスプレイ、ＥＰＤ（Electrophoretic Display）、タッチパネル型ディスプレイなどの表示画面１１に、パフォーマンス情報に基づく各種の画像を表示させて通知する。報音部１２５は、スピーカーやブザーなどに、パフォーマンス情報に基づく各種の音響を出力させて通知する。振動部１２７は、バイブレーターなどに、パフォーマンス情報に基づく各種の振動を発生させて通知する。
なお、通知部１２０Ａは、必ずしも表示部１２１、報音部１２５、および振動部１２７のすべての要素を備える必要はなく、その一部を備えてもよいし、他の通知手段を備えてもよい。
【００５４】
通信部１３０Ａは、例えば、Bluetooth（登録商標）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、ＡＮＴ＋（登録商標）などの近距離無線通信規格に対応した送受信機の少なくとも１つを備えて、外部機器１０Ｂ，２０，３０との間で情報の送受信を行う。
【００５５】
記憶部１４０Ａは、例えば、１又は複数のＩＣメモリーなどにより構成され、プログラムが記憶されるＲＯＭと、処理部１００Ａの作業領域となるＲＡＭとを有する。なお、ＲＡＭには不揮発性のＲＡＭも含まれていてもよい。ＲＯＭあるいはＲＡＭには、取得部１５０が取得する運動休憩情報や処理部１００Ａが生成するパフォーマンス情報が記憶される。
【００５６】
取得部１５０は、加速度センサー１５１や水検知センサー１５２などの人の動きを検出するセンサーを備え、アスリート２がインターバル運動を行う時の運動休憩情報を取得する。取得部１５０は、さらに、脈波センサー１５３を備えてもよく、その場合には、脈波センサー１５３で取得される脈波に基づいて処理部１００Ａで脈拍などの情報が抽出される。
加速度センサー１５１は、例えば、略直交する３軸方向の加速度を検出する公知のＭＥＭＳセンサーであり、情報機器１０Ａの傾きや移動量などを算出可能な加速度信号を出力する。情報機器１０Ａの移動量は、移動時に各軸方向に生じる加速度信号の変化量を使って算出することができる。加速度センサー１５１の出力としての加速度信号は、処理部１００Ａに送られて処理される。
水検知センサー１５２は、情報機器１０Ａが入水したことを検知するセンサーである。
【００５７】
操作部１６０は、例えば、ボタン１２（図２参照）、キー、マイク、タッチパネル、音声認識機能などを備え、使用者からの指示を情報として処理部１００Ａに送る。
【００５８】
（外部機器の機能構成）
上述したように、情報機器１０Ｂ、電子表示板２０、または携帯型情報端末３０などのパフォーマンス情報を管理可能な電子機器が、外部機器１０Ｂ，２０，３０として機能する。図３に示すように、これらの外部機器１０Ｂ，２０，３０は、処理部１００Ｂ、通知部１２０Ｂ、通信部１３０Ｂおよび記憶部１４０Ｂを備える。その他、計時部１１０Ｂを備えてもよい。
【００５９】
処理部１００Ｂは処理部１００Ａと同等の機能を有する。同じく、計時部１１０Ｂは計時部１１０Ａと、通知部１２０Ｂは通知部１２０Ａと、通信部１３０Ｂは通信部１３０Ａと、そして記憶部１４０Ｂは記憶部１４０Ａと同等の機能を有する。
【００６０】
外部機器１０Ｂ，２０，３０としての情報機器１０Ｂ、電子表示板２０、または携帯型情報端末３０は、情報機器１０Ａから送信される情報（例えば、運動休憩情報およびパフォーマンス情報など）を通信部１３０Ｂで受信する。外部機器１０Ｂ，２０，３０は、受信する情報に基づいてパフォーマンス情報を通知部１２０Ｂによって外部に通知する。この時、必要に応じて、計時部１１０Ｂからの時刻情報が使用され、情報機器１０Ａから受信する情報などが記憶部１４０Ｂに記憶される。
【００６１】
データベース８０は、ネットワークを介して外部機器１０Ｂ，２０，３０と接続され、例えば運動休憩情報およびパフォーマンス情報などを保管する。また、外部機器１０Ｂ，２０，３０は、トレーニングに関する各種情報などをデータベース８０から取得することができる。なお、図３では図示しないが、データベース８０は、ネットワークを介して情報機器１０Ａと直接接続されてもよい。
【００６２】
（パフォーマンス情報の生成）
図４は、加速度センサー１５１の出力４１の一例を示す図である。以下、出力４１からパフォーマンス情報を生成する方法の一例を示す。
【００６３】
図４において、横軸ｔは時間の経過を表し、横軸ｔと直交する方向は出力４１の大きさ（レベル）を表す。図４に示すように、出力４１は、レベルＶ０を基軸にして、マイナス側のピークレベルＶ１およびプラス側のピークレベルＶ２の間を周期的に変化する区間Ｔ１と、ピークレベルＶ１，Ｖ２に達することなくレベルＶ０の近傍で揺らぐ区間Ｔ２がある。なお、図４では、図の繁雑化を避けるため、区間Ｔ１において出力４１が周期的に変化する回数を３回に簡略化して記載する。
【００６４】
区間Ｔ１は、情報機器１０Ａを装着したアスリート２が負荷運動を行っている時間であり、区間Ｔ２は、アスリート２が休息している時間である。図４の例では、レベルＶ０とレベルＶ２の間に閾値Ｖｔｈを設定することによって、出力４１が閾値Ｖｔｈを横切る（マイナス側からプラス側へ横切る、閾値Ｖｔｈ以上となる）時点４２Ａ，４２Ｂ，４２Ｃが検出される。
ここで、時点４２Ａと時点４２Ｂとの間の時間を時間ｔ１とし、時点４２Ｂと時点４２Ｃとの間の時間を時間ｔ２とすると、インターバル運動における負荷運動ではアスリート２の動作に大きな差異は生じないため、時間ｔ１および時間ｔ２はほぼ同程度の時間となる。そのため、時点４２Ｃ以降に時間ｔ１および時間ｔ２とほぼ同程度の時間ｔ３が経過する付近において、出力４１が閾値Ｖｔｈを横切ることが無ければ、区間Ｔ１が終了して区間Ｔ２が始まったと判断される。これにより、負荷運動が行なわれた時間である区間Ｔ１の長さの情報が得られる。
また、区間Ｔ２において、出力４１が閾値Ｖｔｈを横切れば、区間Ｔ２が終了して再び区間Ｔ１が始まったと判断される。これにより、休憩が行なわれた時間である区間Ｔ２の長さの情報が得られる。
これら各種の時間に関する情報は、計時部１１０Ａ，１１０Ｂから得られる時刻情報に基づいて処理部１００Ａ，１００Ｂで処理され生成される。
【００６５】
以上のように、処理部１００Ａ，１００Ｂは、加速度センサー１５１からアスリート２の運動休憩情報として出力４１を取得し、パフォーマンス情報（つまり、区間Ｔ１および区間Ｔ２の長さの情報など）を生成することができる。
【００６６】
さらに、出力４１が閾値Ｖｔｈを横切る回数は、例えば水泳のインターバル運動において、アスリート２が負荷運動を行っている区間Ｔ１におけるストローク数を示す。そのため、処理部１００Ａ，１００Ｂは、パフォーマンス情報の一部として水泳のストローク数を通知することも可能である。
【００６７】
（パフォーマンス情報通知装置の動作）
次に、図３、図４を参照しつつ、パフォーマンス情報通知装置としての情報機器１０Ａおよび外部機器１０Ｂ，２０，３０の動作について説明する。図５は、パフォーマンス情報通知装置の制御方法の一例を示すフローチャートである。より具体的には、水泳によるインターバル運動が行なわれる場合に、記憶部１４０Ａ，１４０Ｂに格納されたプログラムに従って、処理部１００Ａ，１００Ｂが実行するフローチャートあり、パフォーマンス情報通知方法の一例を示すフローチャートでもある。以下、図５のフローチャートに基づいてパフォーマンス情報通知装置の動作を説明する。
【００６８】
ステップＳ０１：情報機器１０Ａの処理部１００Ａは、アスリート２に装着された情報機器１０Ａの水検知センサー１５２が水を検知したか否か確認する。水検知センサー１５２が水を検知しない場合（ステップＳ０１のＮ）、継続して水検知センサー１５２の状態を確認する。一方、水検知センサー１５２が水を検知した場合（ステップＳ０１のＹ）、ステップＳ０２の処理へ進む。
【００６９】
ステップＳ０２：処理部１００Ａは、アスリート２が入水したと判断して、加速度センサー１５１から運動休憩情報としての出力４１を取得する。なお、処理部１００Ａは、水検知センサー１５２の検出結果からアスリート２が入水したと判断する代わりに、操作部１６０が操作されることによって加速度センサー１５１から出力４１を取得するようにしてもよい。
【００７０】
ステップＳ０３：処理部１００Ａは、上述した処理で、出力４１から区間Ｔ１および区間Ｔ２の長さの情報などのパフォーマンス情報を生成する。
【００７１】
ステップＳ０４：処理部１００Ａは、生成されたパフォーマンス情報を通知部１２０Ａによって表示、報音、振動などで外部へ通知する。
【００７２】
ステップＳ０５：処理部１００Ａは、取得された運動休憩情報（出力４１）または生成されたパフォーマンス情報を通信部１３０Ａによって外部機器１０Ｂ，２０，３０に送信する。なお、外部機器１０Ｂ，２０，３０に取得された運動休憩情報（出力４１）を送信する場合は、ステップＳ０３をスキップして、ステップＳ０２からステップＳ０５に進んでもよい。
【００７３】
ステップＳ１１：外部機器１０Ｂ，２０，３０の処理部１００Ｂは、通信部１３０Ｂを介して、情報機器１０Ａから運動休憩情報としての出力４１またはパフォーマンス情報を受信する。
【００７４】
ステップＳ１２：処理部１００Ｂは、受信する情報が出力４１であれば、上述したように、出力４１から区間Ｔ１および区間Ｔ２の長さの情報などのパフォーマンス情報を生成する。
【００７５】
ステップＳ１３：処理部１００Ｂは、受信するあるいは生成するパフォーマンス情報を通知部１２０Ｂによって表示、報音、振動などで外部へ通知する。なお、情報機器１０Ａから受信する情報が情報機器１０Ａで生成されたパフォーマンス情報である場合は、受信するパフォーマンス情報がそのまま通知されてもよい。
【００７６】
（作用効果）
上述のように、本実施形態によれば、パフォーマンス情報通知装置は、インターバル運動における負荷運動および休憩の少なくとも一方を示す情報（運動休憩情報）を取得する。さらに、パフォーマンス情報通知装置が、運動休憩情報に基づいて、インターバル運動において負荷運動が行なわれた時間および休憩が行なわれた時間の少なくとも一方に関する情報（パフォーマンス情報）を画面表示、報音、振動などで外部に通知できる。そのため、アスリート２がインターバル運動によってトレーニングを行っている最中の情報が取得されて、アスリート２は、トレーニング中でもパフォーマンス情報通知装置からの通知によって容易にトレーニングに係る情報を知ることができる。
【００７７】
さらに、取得部１５０と通知部１２０Ａとを備える情報機器１０Ａは、単独で運動休憩情報の取得とパフォーマンス情報の通知とを行える。そのため、情報機器１０Ａは、単独でパフォーマンス情報通知システム１として機能でき、アスリート２は、例えば、情報機器１０Ａを手首に装着して、自己のインターバル運動のパフォーマンス情報をリアルタイムで確認することができる。
【００７８】
また、パフォーマンス情報通知システム１は、通信部１３０Ａおよび通信部１３０Ｂを備え、通信部１３０Ａと通信部１３０Ｂとの間で情報の通信ができる。そのため、運動休憩情報を取得する取得部１５０とパフォーマンス情報を通知する通知部１２０Ｂが互いに離間する場所に設置されてもよい。つまり、取得部１５０と通信部１３０Ａとを備える情報機器１０Ａをアスリート２に装着させ、通知部１２０Ｂと通信部１３０Ｂとを備える外部機器１０Ｂ，２０，３０に情報機器１０Ａから情報を送信して通知させることができる。その結果、例えば、コーチ３とアスリート２とが同じ情報機器１０（１０Ａまたは１０Ｂ）を個々に持つことで、コーチ３は、アスリート２と同じ情報を同じ通知方法で知ることができる。また、外部機器１０Ｂ，２０，３０が、例えば、プールサイドに設置される電子表示板２０の場合は、電子表示板２０に大きく見易い画面で、パフォーマンス情報が表示され通知される。また、外部機器１０Ｂ，２０，３０が、例えば、コーチ３が携帯するスマートフォンやタブレットなどの携帯型情報端末３０の場合は、携帯型情報端末３０のアプリケーションソフトウェアを使用してパフォーマンス情報を加工することも可能となる。
【００７９】
（変形例）
以上、本発明の実施形態を説明したが、本発明の主旨を逸脱しない範囲において、例えば下記のように、さまざまな変形が可能である。なお、実施形態と共通の構成には共通の符号を附して詳細な説明は省略する。
【００８０】
（変形例１）
上述の実施形態において、情報機器１０Ａは、通知部１２０Ａ，通信部１３０Ａ、取得部１５０を備えたが、通知部１２０Ａを備えなくてもよい。つまり、パフォーマンス情報の外部への通知は、情報機器１０Ａ自身が行なうのではなく、通信部１３０Ａから情報を送信して、情報を受信する外部機器１０Ｂ，２０，３０に担わせることが可能である。さらに、情報機器１０Ａは、処理部１００Ａでパフォーマンス情報を生成せずに、取得部１５０で取得する運動休憩情報を外部機器１０Ｂ，２０，３０に送信して、外部機器１０Ｂ，２０，３０の処理部１００Ｂでパフォーマンス情報を生成させてもよい。これにより、情報機器１０Ａの構成要素が簡略化できるため、情報機器１０Ａをより小型で軽く装着し易いものにすることができ、低消費電力化も図れる。
【００８１】
（変形例２）
上述の実施形態において、情報機器１０Ａは、バンド１３を備えてアスリート２の手首に装着されるリスト型の電子機器であるが、胸に巻きつけて装着する胸ベルトタイプの電子機器であってもよい。この構成によれば、当該電子機器に心拍センサーを備えることができ、心拍センサーで検出される心拍情報を通知部によって、パフォーマンス情報とともに通知することができる。なお、心拍情報やその他の運動に関連する情報も、パフォーマンス情報の一例である。
【００８２】
（変形例３）
インターバル運動を行う前に、操作部１６０が操作されて外部から入力される負荷運動を行なう時間および休憩を行なう時間に関する情報が、記憶部１４０Ａに記憶されてもよい。情報機器１０Ａは、インターバル運動が行なわれた後のパフォーマンス情報と記憶された上述の入力情報を比較して、その差異を通知してもよい。この構成によれば、使用者は、事前にインターバル運動の計画を立てて情報機器１０Ａに記憶させておくことで、実行したインターバル運動との差異を知ることができるため、トレーニングの質を向上させることができる。
【００８３】
次に、パフォーマンス情報通知システム１におけるパフォーマンス情報通知装置の表示形態について説明する。具体的には、情報機器１０（１０Ａまたは１０Ｂ）の表示画面１１、電子表示板２０の表示画面２１、または携帯型情報端末３０の表示画面３１に表示されるパフォーマンス情報の表示形態の変形例について説明する。
【００８４】
（変形例４）
図６は、パフォーマンス情報通知装置の表示例を示す図であり、パフォーマンス情報として、運動サイクルの１周期において負荷運動が行なわれた時間と運動サイクルを行った回数とが表示される。さらに、図６は、円形のアナログ表示式タイマーの表示が運動サイクルの回数を重ねるに連れて遷移していく様子を示す遷移図である。本アナログ表示式タイマーは、一般的なアナログ表示時計と同じく、一周が６０分割されて配置される黒点と一周が１２分割されて配置される数値とが表示される文字盤５３を備える。文字盤５３上において、長針５１と短針５２とがパフォーマンス情報を表示する。
【００８５】
図６において、長針５１および短針５２ともに１２時の位置を指す円形のアナログ表示式タイマーが、遷移図の最初の状態であり、インターバル運動がスタートする時の表示である。円形のアナログ表示式タイマーにおいて、長針５１は、運動サイクルの１周期で一周して経過時間を示す。したがって、使用者は、負荷運動を終えた時に長針５１の位置を確認することで、負荷運動が行われた時間と次の運動サイクルがスタートするまでの休憩時間をパフォーマンス情報として知ることができる。
短針５２は、運動サイクルを行った回数を示す。したがって、遷移図の２番目の状態では、長針５１が１２時の位置を指す時、短針５２は１個目の黒点を指し１回目の運動サイクルが終了していることを示す。以下、同様に、遷移図において３番目のアナログ表示式タイマーの状態は、短針５２が２番目の黒点を指して２回目の運動サイクルが終了していることを示し、最後のアナログ表示式タイマーの状態は、短針５２が２０番目の黒点を指して２０回目の運動サイクルが終了したことを示す。
【００８６】
このように、本表示例によれば、アスリート２は、長針５１および短針５２の位置によってパフォーマンス情報を知ることができる。さらに、長針５１が１２時の位置に到達したことで次の運動サイクルがスタートしたことが一見して分かるため、アスリート２は、次の運動サイクルを始めるタイミングを見計らうことができ、次の運動サイクルのスタートが遅れないように注意することが容易である。さらに、短針５２が運動サイクルの回数を示すため、使用者がトレーニング中に頭の中で運動サイクルの回数を数えて覚えておく必要がない。
【００８７】
（変形例５）
図７Ａおよび図７Ｂは、パフォーマンス情報通知装置の他の表示例を示す図であり、パフォーマンス情報として、運動サイクルの１周期において負荷運動が行なわれた時間と運動サイクルを行った回数とが表示される。図７Ａおよび図７Ｂにおける円形のアナログ表示式タイマーは、図６の表示例と同様に、長針５５が、運動サイクルの１周期で一周して経過時間を示す。また、短針５６が、行った運動サイクルの回数を示す。
図７Ａおよび図７Ｂの表示例と図６の表示例との相違点は、運動サイクルの１周期が文字盤５７Ａ，５７Ｂに均等に分配して表示され、図６の表示例の１２時位置に１周期の数値が表示されることである。具体的には、図７Ａの表示例は、１周期である７０秒が１２時位置に表示され、短針５６が２５を指して２５回の運動サイクルが終了したことを示す。また、図７Ｂの表示例は、１周期である９０秒が１２時位置に表示され、短針５６が５０を指して５０回の運動サイクルが終了したことを示す。
【００８８】
本表示例によれば、文字盤５７Ａ，５７Ｂの一周が運動サイクルの１周期を示す数値で表示されるため、図６の表示例と同様の効果に加えて、長針５５の位置からパフォーマンス情報が読み取り易いという効果を奏する。
【００８９】
（変形例６）
図８は、パフォーマンス情報通知装置の他の表示例を示す図である。本表示例では、表示画面１１，２１，３１に、減算タイマー６１、棒グラフ領域６４の棒グラフ、および円グラフ領域６７の円グラフが、パフォーマンス情報を表示する。
【００９０】
減算タイマー６１は、パフォーマンス情報として、運動サイクルの１周期において負荷運動が行なわれた時間と運動サイクルを行った回数とが表示される。減算タイマー６１は、運動サイクルの１周期に対応した数の表示セグメント６２が一周のサークルを形成して表示される。運動サイクルがスタートする時には、すべての表示セグメント６２が点灯し、運動サイクルがスタートして負荷運動を行う時間が経過すると、それに連れて表示セグメント６２が順次消灯して徐々に点灯する表示セグメント６２の数量が減少する。したがって、使用者は、点灯あるいは消灯する表示セグメント６２の数量によってパフォーマンス情報を知ることができる。また、すべての表示セグメント６２が消灯するタイミングが、次の運動サイクルがスタートするタイミングであるため、アスリート２は、次の運動サイクルを始めるタイミングを見計らうことができ、次の運動サイクルに対するスタートが遅れないように注意することが容易である。
【００９１】
さらに、表示セグメント６２のサークルの中央部６３には、運動サイクルの回数が表示され、運動サイクルが１回終了する度に数値が１減少する。したがって、使用者は、運動サイクルの残り回数を容易に知ることができる。
【００９２】
棒グラフ領域６４には、パフォーマンス情報として、運動サイクルの１周期において負荷運動が行なわれた時間と運動サイクルの１周期に対して負荷運動が行なわれた時間の比率（第２の運動比率）とが表示される。さらに、棒グラフ領域６４には、パフォーマンス情報として、運動サイクルの１周期において休憩が行なわれた時間と運動サイクルの１周期に対して休憩が行なわれた時間の比率（第２の休憩比率）とが、棒グラフと数値とで表示される。
具体的には、本表示例では、運動サイクルの１周期は６８ｓｅｃであり、領域６５に、運動サイクルの１周期において負荷運動が行なわれた時間（４８ｓｅｃ）と、第２の運動比率が百分率（７１％）で表示される。同様に、領域６６に、休憩が行なわれた時間（２０ｓｅｃ）と、第２の休憩比率が百分率（２９％）で表示される。さらに、棒グラフは、負荷運動が行なわれた時間の比率と休憩が行なわれた時間の比率とに対応して、表示が二分割される。したがって、使用者は、負荷運動が行なわれた時間と休憩が行なわれた時間の長さの差を直感的に知ることができる。
【００９３】
円グラフ領域６７には、パフォーマンス情報として、１回のインターバル運動において負荷運動が行なわれた時間の積算値（運動積算時間）と１回のインターバル運動が行なわれた時間に対する運動積算時間の比率（第１の運動比率）とが表示される。さらに、円グラフ領域６７には、パフォーマンス情報として、１回のインターバル運動において休憩が行なわれた時間の積算値（休憩積算時間）と１回のインターバル運動が行なわれた時間に対する休憩積算時間の比率（第１の休憩比率）とが表示される。
具体的には、円グラフ領域６７には、運動積算時間と休憩積算時間とを示す円グラフが表示され、円グラフの部位６８に、運動積算時間（１．４Ｈ）と、第１の運動比率が百分率（７０％）で表示される。同様に、部位６９に、休憩積算時間（０．６Ｈ）と、第１の休憩比率が百分率（３０％）で表示される。さらに、円グラフは、第１の運動比率と第１の休憩比率とに対応して、表示が二分割される。したがって、使用者は、負荷運動が行なわれた時間と休憩が行なわれた時間の長さの割合を直感的に知ることができる。また、使用者は、運動積算時間および休憩積算時間に基づいて、１回のインターバル運動において自己の行ったトレーニングの運動強度や身体負荷を把握できる。
【００９４】
なお、上述の３つのパフォーマンス情報の表示例は、同じ画面に同時に表示されなくてもよく、それぞれ個別に表示されてもよい。また、第１の運動比率、第２の運動比率、第１の休憩比率、および第２の休憩比率は、百分率による表記ではなく、例えば千分率などで表記されてもよい。
【００９５】
（変形例７）
図９は、パフォーマンス情報通知装置の他の表示例を示す図である。本表示例では、表示画面１１，２１，３１に、インターバル運動毎のパフォーマンス情報として、日付情報、距離情報、ストローク情報などが表示される。具体的には、領域７１にインターバル運動の番号が表示される。領域７２には、パフォーマンス情報が、アイコン７４で表示される。領域７３には、パフォーマンス情報が、数値で表示される。
【００９６】
領域７１のインターバル運動の番号は、数値の小さい方が最後のインターバル運動（つまり、直前のインターバル運動）を示し、数値が１増えるとその１つ前のインターバル運動を示す。なお、この番号の付け方は、これに限られず任意である。
【００９７】
領域７２のアイコン７４の表示画面１１，２１，３１の長手方向の表示位置は、アスリート２が行なった負荷運動の程度を示し、本表示例においては、アスリート２が泳いだ距離に対応する。具体的には、領域７３に表示されるように、アスリート２が泳いだ距離は、インターバル運動の番号の小さい順に２．０ｋｍ，１．０ｋｍ，３．２ｋｍ，１．５ｋｍである。アイコン７４は、泳いだ距離が長いほど領域７１から長手方向に離れて表示される。したがって、使用者は、複数のインターバル運動の強度を直感的に比較して知ることができる。
【００９８】
領域７３には、インターバル運動毎にパフォーマンス情報が数値で表示される。具体的には、インターバル運動が行なわれた日付、泳いだ距離、および単位距離（１００ｍ）における平均ストローク数が表示される。したがって、使用者は、複数のインターバル運動の強度を具体的に数値で知ることができる。なお、表示されるパフォーマンス情報は、これに限られず任意である。
【００９９】
（変形例８）
図１０は、パフォーマンス情報通知装置の他の表示例を示す図である。本表示例では、表示画面１１，２１，３１に、運動サイクル毎のパフォーマンス情報として、運動サイクルの１周期において負荷運動が行なわれた時間、休憩が行なわれた時間、およびストローク情報などが表示される。具体的には、領域８１に運動サイクルの番号が表示される。領域８２には、パフォーマンス情報として、運動サイクル毎（領域８６）に、負荷運動が行なわれた時間と休憩が行なわれた時間とが表示される。負荷運動と休憩の境界位置８７は、両者の時間比率によって、例えば左右に変化してもよい。領域８３には、運動サイクル毎にストローク数が表示される。したがって、使用者は、運動サイクル毎にパフォーマンス情報を確認してその変化状況を知ることができる。なお、アイコン８４は、負荷運動が行なわれた時間が表示される領域であることを示し、アイコン８５は、休憩が行なわれた時間が表示される領域であることを示す。
【０１００】
（変形例９）
図１１Ａは、パフォーマンス情報通知装置の他の表示例を示す図である。本表示例では、表示画面１１，２１，３１に、運動サイクル毎のパフォーマンス情報として、運動サイクルの１周期において負荷運動が行なわれた時間、休憩が行なわれた時間を示す円グラフが表示される。円グラフは、外周９１と内周９２との間に運動サイクルの１周期が数値で表示される（図１１Ａでは、９０秒）。内周９２の内側には、時間経過を示すセグメント９５とセグメント９６とが表示される。セグメント９５は負荷運動が行なわれた時間を示し、セグメント９６は休憩が行なわれた時間を示す。つまり、セグメント９５とセグメント９６との境界線９３が、負荷運動が行なわれた時間を指す（図１１Ａでは、３２秒）。また、セグメント９６とセグメント９７の境界線９４は、時間経過とともに時計回りに９０秒の位置に向かって移動し、負荷運動が行なわれた後に休憩が行なわれた経過時間を指す。図１１Ａは、負荷運動が３２秒間行なわれ、その後現在の６１秒時点まで休憩が行なわれたことを示す。
【０１０１】
この表示例によれば、使用者は、負荷運動を終えた後でセグメント９５あるいは境界線９３の位置を確認することで、負荷運動が行われた時間を確認できる。さらに、使用者は、セグメント９６あるいは境界線９４の位置を確認することで、休憩した時間と次の運動サイクルがスタートするまでの時間とを確認できる。そのため、アスリート２は、次の運動サイクルに対するスタートが遅れないように注意することが容易である。
【０１０２】
（変形例１０）
図１１Ｂは、パフォーマンス情報通知装置の他の表示例を示す図である。本表示例は、図１１Ａの表示例の円グラフのセグメント９５，９６，９７が表示される領域に中央部９８が配置される。中央部９８以外の構成要素は図１１Ａの表示例と同等であるため、同じ符号を付して説明を省略する。中央部９８には、運動サイクル回数に関する情報が表示される。具体的には、図１１Ａの表示例に加えて、パフォーマンス情報として、運動サイクルを行う回数と終了した運動サイクルの回数が表示される。
【０１０３】
この表示例によれば、使用者は、図１１Ａの表示例における上述の作用効果に加えて、運動サイクルの残り回数を容易に知ることができる。なお、運動サイクル回数に関する情報として、終了した運動サイクルの回数に代わって運動サイクルの残り回数を表示してもよい。
【０１０４】
（変形例１１）
図１２は、パフォーマンス情報通知装置の他の表示例を示す図である。本表示例では、表示画面１１，２１，３１に、パフォーマンス情報として、１周期の運動サイクルの残り時間、運動サイクルの回数、および運動サイクルの１周期において負荷運動が行なわれた時間が数値で表示される。領域２０１には運動サイクルの時間に関する情報が表示され、領域２０２には運動サイクル回数に関する情報が表示され、領域２０３には負荷運動が行なわれた時間が表示される。
具体的には、図１２では、領域２０１に、１周期９０秒の運動サイクルにおいて残り時間が２８秒であることが表示されている。領域２０２に、運動サイクルを行う回数の８回と終了した運動サイクルの５回が表示されている。領域２０３に、負荷運動が行なわれた時間が３３秒であることが表示されている。さらに、１周期の運動サイクルの残り時間が所定の値（図１２では、５秒）となった時に残り時間だけの表示に切り替わって、以降、残り時間が０になるまで残り時間を減算する表示となる。
【０１０５】
この表示例によれば、使用者は、運動サイクルにおける負荷運動が行なわれた時間を確認できる。さらに、１周期の運動サイクルの残り時間が減算タイマーの要領で確認できるため、アスリート２は、次の運動サイクルに対するスタートが遅れないように注意することが容易である。
【０１０６】
（変形例１２）
図１３は、パフォーマンス情報通知装置の他の表示例を示す図である。本表示例では、表示画面１１，２１，３１に、折れ線グラフの形態でパフォーマンス情報として、アスリート２の脈拍数と運動サイクルの１周期において負荷運動が行なわれた時間が表示される。グラフの横軸は、運動サイクルの番号であり、一方の縦軸（Ａ）は、運動サイクル中の最高脈拍数、他方の縦軸（Ｂ）は、運動サイクルの１周期において負荷運動が行なわれた時間（タイム）である。図１３の表示例に示すように、グラフ中にはパフォーマンス情報を示す折れ線Ａと折れ線Ｂとが表示される。折れ線Ａは、各運動サイクル中のアスリート２の最高脈拍数を示し、折れ線Ｂは、各運動サイクルにおいて負荷運動が行なわれた時間を示す。
【０１０７】
この表示例によれば、使用者は、運動サイクルにおける運動の強度とともに、最高脈拍数からその時の心肺機能の負荷を知ることができる。さらに、各運動サイクルにおける最高脈拍数を含むパフォーマンス情報が線で結ばれるため、使用者は、折れ線グラフの形状から運動サイクルにおけるパフォーマンス情報の変化を容易に確認できる。
【０１０８】
（その他の変形例）
パフォーマンス情報の表示形態として、あらかじめ設定された目標値と結果、履歴から導かれる予測値と結果、最大値および最小値と平均値などが並べられて表示されてもよい。また、パフォーマンス情報の項目が、所定条件を満たしたら表示を変えてもよい。例えば、色を変える（白黒反転、違う文字色、背景色で強調するなど）、表示の仕方を変える（所定のマークが表示される、点滅する、通常より大きな文字を使うなど）といった表示の変更を行ってもよい。
【０１０９】
上述の実施形態および変形例では、情報機器１０（１０Ａまたは１０Ｂ）を使用者の手首に装着する電子機器あるいは胸ベルト型の電子機器として例示したが、身体の何処に装着するかは適宜変更することができる。例えば、バンド１３で使用者の上腕部に装着することを想定した電子機器でもよい。あるいは、バンド１３で頭部にゴーグルのように装着される形態でもよい。情報機器１０（１０Ａまたは１０Ｂ）は、腕時計型に限らず、タブレット型、アクションカム型、ゴーグル型であってもよい。また、バンド１３の代わりにメガネのテンプル状の構造体に情報機器１０（１０Ａまたは１０Ｂ）を設けたグラスウェア型でもよい。あるいは、イヤホン型、指輪型、ペンダント型、スポーツ器具に装着して使用する電子機器、スマートフォン、ヘッドマウントディスプレイ（ＨＭＤ：Head Mount Display）、ヘッドアップディスプレイ（ＨＵＤ：Head Up Display）などの形態としてもよい。
【０１１０】
また、加速度センサー１５１を使用して水泳中のターン検出を行うことは公知である。そのため、情報機器１０Ａが競泳用プールにおいて使用され、当該ターン検出手段が利用されることによって、パフォーマンス情報通知装置は、ターン数とプールの長さからアスリート２が泳いだ距離をパフォーマンス情報として外部に通知することが可能である。
【０１１１】
また、パフォーマンス情報通知装置は、インターバル運動を行う以前か以後に負荷運動の種類を使用者が入力する機能を備えてもよい。例えば、水泳ならば、その泳法であるクロール、平泳ぎ、バタフライ、背泳ぎなどが入力され、インターバル運動のパフォーマンス情報とともに履歴として記憶部１４０Ａ，１４０Ｂに記録されてもよい。
あるいは、公知の泳法検出技術などを用いて判定される泳法が、インターバル運動のパフォーマンス情報とともに履歴として記憶部１４０Ａ，１４０Ｂに記録されてもよい。
【０１１２】
上述の実施形態および変形例では、取得部１５０において、使用するセンサーを加速度センサー１５１、水検知センサー１５２、および脈波センサー１５３としたが、使用するセンサーはこれに限られない。例えば、圧力センサー、ジャイロセンサー、速度センサー、角速度センサー、高度センサー、温度（気温、体温）センサー、地磁気センサー、紫外線センサー、発汗量センサー、血圧センサー、ＳｐＯ2（血中酸素濃度）センサー、乳酸センサー、血糖値センサーなどを備えてもよい。
【０１１３】
また、情報機器１０（１０Ａまたは１０Ｂ）は、ＧＰＳ（Global Positioning System）などの全地球航法衛星システムＧＮＳＳ（Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、などの衛星測位システムのうち１又は２以上を利用してもよい。また、衛星測位システムの少なくとも１つにＷＡＡＳ（Wide Area Augmentation System）、ＥＧＮＯＳ（European Geostationary―Satellite Navigation Overlay Service）などの静止衛星型衛星航法補強システム（ＳＢＡＳ：Satellite―based Augmentation System）を利用してもよい。
これにより、アスリート２の移動量や移動速度などを検知して、パフォーマンス情報として通知してもよい。
【０１１４】
取得部１５０および処理部１００Ａ，１００Ｂは、インターバル運動におけるアスリート２の負荷運動ペース、累積距離、スピード、ラップタイム、消費カロリー、運動時間、心拍数、所定の心拍ゾーンで運動した時間、所定の心拍ゾーンに到達するまでに要した時間、ＶＯ2Ｍａｘ（最大酸素摂取量）、予想タイム、予想距離、ＳｐＯ2（血中酸素濃度）、の少なくとも１つを取得あるいは生成してもよい。取得または生成した情報は、パフォーマンス情報として通知してもよい。
【０１１５】
また、情報機器１０（１０Ａまたは１０Ｂ）やパフォーマンス情報通知システム１の用途は、インターバル運動や水泳には限定されない。各種の運動において、取得部１５０および処理部１００Ａ，１００Ｂは、アスリート２の負荷運動ペース、累積距離、ストライド、ピッチ、歩数、スピード、ラップタイム、スプリットタイム、ラップ歩数、消費カロリー、運動時間、累積上昇高度、累積下降高度、標高、勾配、心拍数、所定の心拍ゾーンで運動した時間、所定の心拍ゾーンに到達するまでに要した時間、ＶＯ2Ｍａｘ（最大酸素摂取量）、予想タイム、予想距離、ＳｐＯ2（血中酸素濃度）、発汗量、水分摂取量のいずれかを取得あるいは生成してもよい。取得または生成した情報は、パフォーマンス情報として通知してもよい。
【０１１６】
また、情報機器１０（１０Ａまたは１０Ｂ）やパフォーマンス情報通知システム１は、活動量計機能を備えてもよい。取得部１５０および処理部１００Ａ，１００Ｂは、活動量パラメーターとしての、運動時間、消費カロリー、歩数、運動時間、睡眠時間、ストレス（興奮またはリラックス、交感神経と副交感神経の活性状態）、早歩き歩数、ランニング歩数、登った建物の階数、上った階段数、ウエスト、心拍数、歩幅、距離、睡眠状態、発汗量、水分摂取量のいずれかを取得あるいは生成してもよい。
また、情報機器１０（１０Ａまたは１０Ｂ）は、操作部１６０、通信部１３０Ａ，１３０Ｂを介して、摂取カロリー、体重などを取り込んでもよい。
【０１１７】
パフォーマンス情報通知装置１は、水泳に限らず、ランニング、ウォーキング、自転車、トレイルランニング、登山、トレッキング、トライアスロン、スキー（クロスカントリースキー、スキージャンプなどを含む）、スノーボード、スノーシューハイキング、スケートなどにも利用可能である。
【０１１８】
上述の実施形態および変形例では、情報機器１０Ｂ、電子表示板２０、または携帯型情報端末３０は、情報機器１０Ａから運動休憩情報またはパフォーマンス情報などを取得したが、当該情報の取得元はこれに限られない。例えば、情報機器１０Ｂ、電子表示板２０、または携帯型情報端末３０が、他の電子機器（不図示）で計測された運動休憩情報をネットワークＮＷ経由で取得して、当該情報に基づいてパフォーマンス情報を生成し外部に通知してもよい。この場合、通信部１３０Ｂが、運動休憩情報を取得する機能（取得部）を含む。
【０１１９】
なお、上述した実施形態および各変形例は一例であって、これらに限定されない。例えば、実施形態および各変形例を適宜組み合わせることも可能である。
【０１２０】
また、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。その他、本発明の要旨を逸脱しない範囲で、適宜変更が可能である。
【符号の説明】
【０１２１】
１…パフォーマンス情報通知システム、２…アスリート、３…コーチ、１０（１０Ａまたは１０Ｂ）…情報機器、１１，２１，３１…表示画面、２０…電子表示板、３０…携帯型情報端末、５３，５７Ａ，５７Ｂ…文字盤、６１…減算タイマー、６４…棒グラフ領域、６７…円グラフ領域、７４…アイコン、８０…データベース、９３，９４…境界線、９５，９６，９７…セグメント、１００Ａ，１００Ｂ…処理部、１１０Ａ，１１０Ｂ…計時部、１２０Ａ，１２０Ｂ…通知部、１２１…表示部、１２５…報音部、１２７…振動部、１３０Ａ，１３０Ｂ…通信部、１４０Ａ，１４０Ｂ…記憶部、１５０…取得部、１６０…操作部。
【図１】
2017176207.tif 000003
【図２】
2017176207.tif 000004
【図３】
2017176207.tif 000005
【図４】
2017176207.tif 000006
【図５】
2017176207.tif 000007
【図６】
2017176207.tif 000008
【図７Ａ】
2017176207.tif 000009
【図７Ｂ】
2017176207.tif 000010
【図８】
2017176207.tif 000011
【図９】
2017176207.tif 000012
【図１０】
2017176207.tif 000013
【図１１Ａ】
2017176207.tif 000014
【図１１Ｂ】
2017176207.tif 000015
【図１２】
2017176207.tif 000016
【図１３】
2017176207.tif 000017